(57)【要約】【課題】  剥離シール自動剥離装置を用いて葉書類本体から剥離シールを好適に剥離することができる、剥離装置用隠蔽シールを提供すること。【解決手段】  基材、およびこの基材の片面上に形成された粘着層を有する、剥離装置用隠蔽シールであって、この粘着層は、強粘着部および弱粘着部を有する、剥離装置用隠蔽シール。【選択図】  図３
0003134063.tif 000002
【実用新案登録請求の範囲】
【請求項１】
基材、および該基材の片面上に形成された粘着層、を有する、剥離装置用隠蔽シールであって、
該粘着層は、強粘着部および弱粘着部を有する、
剥離装置用隠蔽シール。
【請求項２】
前記強粘着部は、剥離強度が０．００２４５〜０．００９８Ｎ／ｍｍであり、および前記弱粘着部は、剥離強度が０．０００９８〜０．００４９Ｎ／ｍｍである、
請求項１記載の剥離装置用隠蔽シール。
【請求項３】
前記強粘着部および弱粘着部は、ホットメルト粘着剤、水性エマルジョン系粘着剤またはＵＶ硬化型粘着剤の塗布によって形成される、請求項１または２記載の剥離装置用隠蔽シール。
【考案の詳細な説明】
【技術分野】
【０００１】
本考案は、自動剥離装置を用いて剥離することができる、剥離装置用隠蔽シールに関する。
【背景技術】
【０００２】
葉書またはその他の配送物に、個人情報（例えば、住所、氏名、年齢またはアンケート回答など）を記載する場合がある。そのような場合、「保護シール」などの名前で呼ばれる、粘着性の隠蔽シールをその個人情報部分に貼って、個人情報部分を隠蔽することが、現在一般的に行われている。
【０００３】
このような個人情報部分が隠蔽シールによって隠蔽された、葉書またはその他の配送物（本明細書においてはこれらをまとめて葉書類という。）は、郵送または配送された後、記載された情報の内容を確認するために、郵送先または配送先において隠蔽シールを剥がす作業が行われる。このような隠蔽シールを剥がす作業は、従来は事務員が手作業で行うことが一般的であった。
【０００４】
このような個人情報部分が隠蔽シールによって隠蔽された葉書類が用いられる機会は、近年における個人情報保護法の施行などに伴って、年々増加する傾向にある。そして個人情報部分が隠蔽シールによって隠蔽された葉書類の隠蔽シールを剥がす作業は、事務員による手作業のみでは対処しきれなくなりつつある。そのため、このような剥離シールが貼り付けられた葉書類を剥離シールと葉書類本体とに分離する、剥離シール自動剥離装置の使用が増加しつつある。
【０００５】
剥離シール自動剥離装置として、例えば図７に示されるような構成を有する装置が挙げられる。図７に示されるような剥離シール自動剥離装置においては、葉書類供給部（３１）に供給された、隠蔽シールが貼り付けられた葉書類（３２）が、搬送部（３３）において矢印で示すように搬送され、剥離および分離部（３４）に供給される。剥離および分離部（３４）では、隠蔽シールが貼り付けられた葉書類（３２）のうち、葉書類本体が葉書類咥え胴部（３５）に咥えられ、そして剥離シールは隠蔽シール咥え胴部（３６）に咥えられる。そしてこれらの胴部（３５）および（３６）が図７中の矢印方向にそれぞれ回転することによって、葉書類本体から剥離シールが剥離されることとなる。こうして剥離された剥離シールは、隠蔽シール巻取部（３８）で隠蔽シール咥え胴部（３６）から巻き取られて回収されることとなる。そして葉書類本体は、別途設けられた分別回収機構（３７）において回収されることとなる。
【０００６】
上記のような剥離シール自動剥離装置を用いる場合においては、剥離および分離部（３４）において葉書類本体と剥離シールとが好適に剥離することが重要である。例えば剥離シールの粘着力が非常に強い場合は、このような剥離シール自動剥離装置を用いて剥離シールを剥がすことは困難となる。一方で、剥離シールの粘着力が非常に弱い場合は、葉書類の郵送または配送時に葉書類から剥離シールが剥がれてしまうという不具合が生じるおそれがある。
【考案の開示】
【考案が解決しようとする課題】
【０００７】
本考案は上記従来の問題を解決するものであり、その目的とするところは、剥離シール自動剥離装置を用いて葉書類本体から剥離シールを好適に剥離することができる、剥離装置用隠蔽シールを提供することにある。
【課題を解決するための手段】
【０００８】
本考案は、
基材、およびこの基材の片面上に形成された粘着層を有する、剥離装置用隠蔽シールであって、
この粘着層は、強粘着部および弱粘着部を有する、
剥離装置用隠蔽シール、を提供するものであり、これにより上記目的が達成される。
【０００９】
上記強粘着部は、剥離強度が０．００２４５〜０．００９８Ｎ／ｍｍであり、および上記弱粘着部は、剥離強度が０．０００９８〜０．００４９Ｎ／ｍｍであるのが好ましい。
【００１０】
上記強粘着部および弱粘着部は、ホットメルト粘着剤、水性エマルジョン系粘着剤またはＵＶ硬化型粘着剤の塗布によって形成されるのが好ましい。
【考案の効果】
【００１１】
本考案の剥離装置用隠蔽シールは、剥離シール自動剥離装置を用いて葉書類本体から剥離シールを容易に除去できるという利点を有する。これにより、隠蔽シールによって隠蔽された葉書類から隠蔽シールを剥がす作業の効率化を図ることができる。本考案の剥離装置用隠蔽シールはその一方で、強粘着部を有することによって、郵送または配送時における剥離シールの剥がれおよび紛失が生じるおそれがほとんどない。本考案の剥離装置用隠蔽シールを用いることによって、剥離シール自動剥離装置を用いた剥離シールの容易な除去と、郵送または配送時における個人情報部分の隠蔽との両立が可能となるという利点がある。
【考案を実施するための最良の形態】
【００１２】
本考案の剥離装置用隠蔽シールは、基材と、この基材の片面上に形成された粘着層とを有する。そして本考案の剥離装置用隠蔽シールは、この粘着層が、強粘着部および弱粘着部という少なくとも２種類の粘着部を有することを特徴とする。
【００１３】
図１は、本考案の剥離装置用隠蔽シール（１）の典型的な使用態様を示す概略図である。図１に示されるように、葉書類（２）の片面上に、本考案の剥離装置用隠蔽シール（１）を貼り付けることによって、葉書類（２）上に記載された個人情報を隠蔽することができる。図１において、剥離装置用隠蔽シール（１）は長方形の形状として表されているが、この形状自体は特に制限されるものではなく、例えば円形または楕円形などの形状であってもよい。
【００１４】
図２は、本考案の剥離装置用隠蔽シール（１）の断面概略図である。本考案の剥離装置用隠蔽シール（１）は、基材（３）、およびこの基材の片面上に形成された粘着層（４）を有する。剥離装置用隠蔽シール（１）は、図２に示されるように、離型紙（５）に貼り付けられた状態であってよい。
【００１５】
本考案の剥離装置用隠蔽シール（１）の基材（３）として、例えば、上質紙、コート紙または再生紙などの紙材を、特に限定されることなく使用することができる。基材（３）は、その片面または両面に情報隠蔽着色部（図示せず）を有していてもよい。基材（３）が情報隠蔽着色部を有することによって、葉書類に記載された個人情報をより有効に隠蔽することができる。あるいは基材（３）として、有色または濃色無彩色の基材を用いてよい。有色または濃色無彩色の基材（３）を用いることによっても、葉書類に記載された個人情報をより有効に隠蔽することが可能となる。基材（３）としてさらに、ポリエステルフィルム、ポリエチレンフィルム、ポリプロピレンフィルムなどの樹脂フィルムを用いることもできる。このような樹脂フィルムを基材（３）として用いる場合は、この基材（３）が情報隠蔽着色部を有するか、または基材（３）が有色または濃色無彩色であることが必要とされる。
【００１６】
本考案の剥離装置用隠蔽シールの粘着層は、上記の通り、強粘着部および弱粘着部という少なくとも２種類の粘着部を有することを特徴とする。図３は、本考案の剥離装置用隠蔽シール（１）の粘着層（４）における、強粘着部（１３）および弱粘着部（１１）の配置パターンの一例を示す概略図である。
【００１７】
これらの強粘着部（１３）および弱粘着部（１１）は、種々の粘着剤を塗布することによって形成することができる。強粘着部（１３）および弱粘着部（１１）を形成することができる粘着剤として、例えば、ホットメルト粘着剤、水性エマルジョン系粘着剤およびＵＶ硬化型粘着剤などが挙げられる。
【００１８】
ホットメルト粘着剤として、例えば、合成ゴム系ホットメルト粘着剤、熱可塑性エラストマー系ホットメルト粘着剤、オレフィン系ホットメルト粘着剤、ゴムオレフィン系ホットメルト粘着剤などが挙げられる。水性エマルジョン系粘着剤として、例えば、オレフィン系粘着剤、アクリルエマルジョン系粘着剤、アクリル酸アルキルエステル共重合体、シリコン系粘着剤、天然ゴムラテックス変性体などが挙げられる。ＵＶ硬化型粘着剤として、例えば、アクリレート系ＵＶ硬化型粘着剤などが挙げられる。
【００１９】
上記粘着剤のうち、合成ゴム系ホットメルト粘着剤、アクリルエマルジョン系粘着剤（アクリル酸エステル共重合物など）、オレフィン系粘着剤（ポリビニルアルキルエーテルなど）、オレフィン系ホットメルト粘着剤などが好ましく用いられる。
【００２０】
粘着層（４）において、強粘着部（１３）および弱粘着部（１１）を形成する方法として、例えば、より粘着性が高い粘着剤を用いて強粘着部を形成し、より粘着性が低い粘着剤を用いて弱粘着部を形成するといった、２種またはそれ以上の粘着剤を用いて粘着層を形成する方法が挙げられる。他の方法として、強粘着部の形成においては粘着剤を均一に塗布し、そして弱粘着部の形成においては粘着剤をストライプ状、ドット状、格子状などに塗布する方法が挙げられる。またこれらの方法を組み合わせることによって、強粘着部および弱粘着部を形成してもよい。粘着剤を用いて基材上に粘着層を形成する工程において、当業者に通常用いられる粘着剤塗布装置を用いることができる。
【００２１】
粘着層において、強粘着部の剥離強度は０．００２４５〜０．００９８Ｎ／ｍｍであるのが好ましい。また弱粘着部の剥離強度は０．０００９８〜０．００４９Ｎ／ｍｍであるのが好ましい。なお本考案における剥離強度の測定は、厚さ０．１３ｍｍ、寸法２０ｍｍ×５０ｍｍの上質紙の片面に、２０ｍｍ×５０ｍｍの粘着部を設け、この粘着部と他の上質紙（厚さ０．１３ｍｍ、寸法２０ｍｍ×５０ｍｍ）を付着させたものを、１８０°方向に剥離することによって測定される剥離強度である。１８０°方向剥離強度の測定は、レオメーターなどを用いて測定することができる。
【００２２】
本考案の剥離装置用隠蔽シールの粘着層が、強粘着部および弱粘着部を有することによって、例えば図７に示すような剥離シール自動剥離装置において、葉書本体が葉書類咥え胴部（３５）に沿って湾曲されると同時に、弱粘着部を有する剥離シールの端部が葉書本体から自動的に剥離し、これにより剥離シールがより簡便に隠蔽シール咥え胴部（３６）に咥えられることとなる。このようにして、剥離シール自動剥離装置による剥離シールの除去が、より容易に行われることとなる。なおこのような剥離シール自動剥離装置は、必要に応じて、葉書類咥え胴部（３５）および隠蔽シール咥え胴部（３６）の間の部分に、突起部（図示せず）を有してもよい。この部分に突起部があることによって、この突起部が葉書本体と剥離シールとの間に挿入され、これによって剥離シールをより容易に除去することができるという利点がある。
【００２３】
本考案の剥離装置用隠蔽シールは、剥離シール自動剥離装置を用いて上記のように剥離シールを容易に除去できる一方で、強粘着部を有することによって、郵送または配送時における剥離シールの剥がれおよび紛失が生じるおそれがほとんどない。すなわち、本考案の剥離装置用隠蔽シールを用いることによって、剥離シール自動剥離装置を用いた剥離シールの容易な除去と、郵送または配送時における個人情報部分の隠蔽との両立が可能となる。
【００２４】
本考案の剥離装置用隠蔽シール（１）は、粘着層（４）の粘着部を保護するため、図２に示されるように、その粘着層（４）が離型紙（５）と隣接しているのが好ましい。この場合において、この離型紙（５）は、図２に示されるように、粘着層（４）全面を保護するように基材から見て外側に形成される。このような離型紙（５）は当業者において用いられているものが一般的に用いられる。離型紙として具体的には、シリコン硬化離型紙、パラフィンワックス塗工離型紙などが挙げられる。
【００２５】
本考案の剥離装置用隠蔽シールの粘着層における、強粘着部（１３）および弱粘着部（１１）の配置パターンの他の一例を図４に示す。図４に示されるように、弱粘着部（１１）の端部において基材（３）を露出させる、すなわち基材（３）において弱粘着部（１１）が設けられていない部分が残存する、ように形成してもよい。
【００２６】
本考案の剥離装置用隠蔽シールの粘着層における、強粘着部（１３）および弱粘着部（１１）の配置パターンの他の一例を図５に示す。図５に示されるように、例えば隠蔽シールの長片端部を強粘着部（１３）とし、その他の部分を弱粘着部（１１）としてもよい。この場合、葉書類咥え胴部（３５）および隠蔽シール咥え胴部（３６）の間の部分に突起部を有する剥離シール自動剥離装置を用いることによって、この突起部が葉書類本体と剥離シールの間に、弱粘着部（１１）において挿入され、これにより剥離シールが容易に除去できることとなる。図５に示される強粘着部（１３）および弱粘着部（１１）の配置パターンを有する剥離装置用隠蔽シールにおいては、強粘着部（１３）および弱粘着部（１１）の間に、ミシン目状切取可能部（１５）を設けるのが好ましい。ミシン目状切取可能部を設けることによって、例えば第３者が隠蔽シールを剥がして個人情報部分を盗み見た場合、隠蔽シールがミシン目状切取可能部において切断されることによる開封痕が残ることとなる。これにより、個人情報部分の隠ぺい性をより有効に保つことができる。
【００２７】
本考案の剥離装置用隠蔽シールの粘着層における、強粘着部（１３）および弱粘着部（１１）の配置パターンの他の一例を図６に示す。上記図３〜５に示される配置パターンは、図６に示されるような方向で同様に設けられていてもよい。
【実施例】
【００２８】
実施例１
基材（３）として上質紙を用いた。厚さ０．１３ｍｍの上質紙（寸法２０ｍｍ×５０ｍｍ）に、図３に示されるような配置パターンの強粘着部（１３）および弱粘着部（１１）を形成した。強粘着部の形成は、オレフィン系ホットメルト粘着剤を均一に塗布することによって形成した。また弱粘着部の形成は、オレフィン系ホットメルト粘着剤をストライプ状に塗布することによって形成した。形成された強粘着部の剥離強度を、レオメーターを用いて測定したところ０．００４９Ｎ／ｍｍであり、弱粘着部の剥離強度は０．００２Ｎ／ｍｍであった。なお剥離強度の測定は、本明細書中に記載した方法に従って測定した。
【００２９】
こうして形成された、強粘着部（１３）および弱粘着部（１１）を有する粘着層（４）に対して、離型紙（５）を付着させた。次いで、基材（３）のうち粘着層（４）が設けられていない方の面に、濃色の図柄を印刷し、これを情報隠蔽着色部とした。次いで、粘着層（４）を有する基材（３）を、ダイカットシリンダで打ち抜いて成型し、隠蔽シールとして仕上げた。
【００３０】
こうして得られた隠蔽シールを、剥離紙に貼り付けられた状態で葉書に仮接着した。こうして、剥離装置用隠蔽シールを有する情報送付用葉書セットを製造した。
【００３１】
実施例２
実施例１で用いたものと同様の基材（３）に、図５に示されるような配置パターンの強粘着部（１３）および弱粘着部（１１）を形成した。強粘着部の形成は、オレフィン系ホットメルト粘着剤を均一に塗布することによって形成した。また弱粘着部の形成は、オレフィン系ホットメルト粘着剤をストライプ状に塗布することによって形成した。形成された弱粘着部の剥離強度を実施例１と同様に測定したところ０．００１４７Ｎ／ｍｍであった。なお強粘着部の剥離強度を同様に測定したところ、上質紙の材料破壊が生じた。上質紙の材料破壊が生じる場合における剥離強度は０．００９８Ｎ／ｍｍ以上であると判断できる。
【００３２】
こうして形成された、強粘着部（１３）および弱粘着部（１１）を有する粘着層（４）に対して、離型紙（５）を付着させた。次いで隠蔽シールの強粘着部と弱粘着部との間に、図５における縦方向にミシン目状切取可能部（１５）を形成した。その後、基材（３）のうち粘着層（４）が設けられていない方の面に、濃色の図柄を印刷し、これを情報隠蔽着色部とした。次いで、粘着層（４）を有する基材（３）を、ダイカットシリンダで打ち抜いて成型し、隠蔽シールとした。
【００３３】
こうして得られた隠蔽シールを、剥離紙に貼り付けられた状態で葉書に仮接着した。こうして、剥離装置用隠蔽シールを有する情報送付用葉書セットを製造した。
【００３４】
実施例３
図６に示されるような配置パターンの強粘着部（１３）および弱粘着部（１１）を形成したこと以外は、実施例１と同様にして隠蔽シールを作成した。なお、弱粘着部（１１）の端部において基材（３）が露出した部分の幅は５ｍｍであった。
【００３５】
こうして得られた隠蔽シールを、剥離紙に貼り付けられた状態で葉書に仮接着した。こうして、剥離装置用隠蔽シールを有する情報送付用葉書セットを製造した。
【産業上の利用可能性】
【００３６】
本考案の剥離装置用隠蔽シールは、剥離シール自動剥離装置を用いて葉書類本体から剥離シールを容易に除去でき、これにより隠蔽シールによって隠蔽された葉書類から隠蔽シールを剥がす作業の効率化を図ることができる。本考案の剥離装置用隠蔽シールはその一方で、強粘着部を有することによって、郵送または配送時における剥離シールの剥がれおよび紛失が生じるおそれがほとんどない。本考案の剥離装置用隠蔽シールを用いることによって、剥離シール自動剥離装置を用いた剥離シールの容易な除去と、郵送または配送時における個人情報部分の隠蔽との両立が可能となる。
【図面の簡単な説明】
【００３７】
【図１】本考案の剥離装置用隠蔽シール（１）の典型的な使用態様を示す概略図である。
【図２】本考案の剥離装置用隠蔽シール（１）の断面概略図である。
【図３】剥離装置用隠蔽シール（１）の粘着層（４）における、強粘着部（１３）および弱粘着部（１１）の配置パターンの一例を示す概略図である。
【図４】剥離装置用隠蔽シール（１）の粘着層（４）における、強粘着部（１３）および弱粘着部（１１）の配置パターンの他の一例を示す概略図である。
【図５】剥離装置用隠蔽シール（１）の粘着層（４）における、強粘着部（１３）および弱粘着部（１１）の配置パターンの他の一例を示す概略図である。
【図６】剥離装置用隠蔽シール（１）の粘着層（４）における、強粘着部（１３）および弱粘着部（１１）の配置パターンの他の一例を示す概略図である。
【図７】剥離シール自動剥離装置の概略説明図である。
【符号の説明】
【００３８】
１…剥離装置用隠蔽シール、
２…葉書類、
３…基材、
４…粘着層、
５…離型紙、
１１…弱粘着部、
１３…強粘着部、
１５…ミシン目状切取可能部、
３１…葉書類供給部、
３２…隠蔽シールが貼り付けられた葉書類、
３３…搬送部、
３４…剥離および分離部、
３５…葉書類咥え胴部、
３６…隠蔽シール咥え胴部、
３７…分別回収機構、
３８…隠蔽シール巻取部。
【図１】
0003134063.tif 000003
【図２】
0003134063.tif 000004
【図３】
0003134063.tif 000005
【図４】
0003134063.tif 000006
【図５】
0003134063.tif 000007
【図６】
0003134063.tif 000008
【図７】
0003134063.tif 000009